(57)【要約】【課題】パン、チルト、ズーム操作が行われても、被写体を再度選択することなく複数の被写体の被写体距離を表示する。【解決手段】撮影システムは、レンズ装置と撮像装置とを含み、該レンズ装置の操作角を検出する操作角検出手段と、該レンズ装置に対する被写体の方向を記憶する方向記憶手段と、該レンズ装置のズーム位置とフォーカス位置から撮影画角を演算する画角演算手段と、該操作角検出手段により検出される操作角と、該方向記憶手段により記憶されている被写体の方向と、該画角演算手段により演算される撮影画角に基づき、撮影画面内における1以上の被写体位置を演算し、該1以上の被写体位置に測距エリアを設定する測距エリア設定手段と、該測距エリアにおける被写体距離を演算する被写体距離演算手段と、該撮像装置により生成された撮影映像と該測距エリアに対応する該被写体距離に基づく情報とを含む出力映像を生成する出力映像生成手段とを有する。【選択図】図１
2011075832.tif 000002
【特許請求の範囲】
【請求項１】
レンズ装置と撮像装置とを含む撮影システムであって、
該レンズ装置の操作角を検出する操作角検出手段と、
該レンズ装置の操作角を基準とする被写体の方向を記憶する方向記憶手段と、
該レンズ装置のズーム位置とフォーカス位置から撮影画角を演算する画角演算手段と、
該操作角検出手段により検出される操作角と、該方向記憶手段により記憶されている方向と、該画角演算手段により演算される撮影画角に基づき、撮影画面内における１以上の被写体の位置を演算し、該１以上の被写体の位置に測距エリアを設定する測距エリア設定手段と、
該測距エリアにおける被写体距離を演算する被写体距離演算手段と、
該撮像装置により生成された撮影映像と、該測距エリアに対応する該被写体距離に基づく情報、を含む出力映像を生成する出力映像生成手段、
を有することを特徴とする撮影システム。
【請求項２】
前記測距エリアの位置を示す位置情報を出力する測距位置出力手段を有し、
前記出力映像生成手段は、前記測距エリア設定手段により設定された測距エリアに対応する前記被写体距離を、前記撮影映像における該位置情報に応じた位置に重畳した前記出力映像を生成することを特徴とする請求項１に記載の撮影システム。
【請求項３】
前記被写体距離を演算する対象となる被写体を選択する被写体選択手段を有し、
前記方向記憶手段は該被写体選択手段により被写体を選択することにより、前記操作角検出手段により得られる操作角を該被写体の方向として記憶することを特徴とする請求項１または２に記載の撮影システム。
【請求項４】
前記方向記憶手段に記憶されている方向と同じ方向にある被写体が、前記被写体選択手段によって選択された場合は、該方向を前記方向記憶手段から削除することを特徴とする、請求項１乃至３のいずれか１項に記載の撮影システム。
【請求項５】
記憶されている全ての被写体の方向を前記方向記憶手段から削除する削除手段を有することを特徴とする請求項１乃至４のいずれか１項に記載の撮影システム。
【請求項６】
前記操作角検出手段は、角速度センサもしくは角度センサであることを特徴とする請求項１乃至５のいずれか１項に記載の撮影システム。
【請求項７】
前記撮影システムは前記レンズ装置を支持する支持体をさらに有し、前記操作角検出手段は該支持体に対する該レンズ装置の操作角を検出するロータリーエンコーダーであることを特徴とする請求項１乃至５のいずれか１項に記載の撮影システム。
【請求項８】
請求項１乃至７のいずれか１項に記載の撮影システムに含まれる前記レンズ装置であって、
前記方向記憶手段、画角演算手段、測距エリア設定手段、及び被写体距離演算手段を含むことを特徴とするレンズ装置。
【請求項９】
前記レンズ装置に入射した光により形成された被写体像間の位相差を検出する位相差センサを有し、
前記被写体距離演算手段は、該位相差センサの出力に基づいて前記被写体距離を演算することを特徴とする請求項８に記載のレンズ装置。
【請求項１０】
前記位相差センサからの出力に基づいてフォーカス制御を行うフォーカス制御手段を有することを特徴とする請求項９に記載のレンズ装置。
【発明の詳細な説明】
【技術分野】
【０００１】
本発明は、測距機能を有する撮影システム及びレンズ装置に関する。
【背景技術】
【０００２】
従来、マラソンなどのテレビ中継において、例えば、先頭で走っている選手と第２位で走っている選手との間の距離がしばしばアナウンスされる。このときの選手間の距離は、アナウンサーやレポーターが目測した大体の距離であったり、ある地点を先頭の選手が通過してから第２位の選手が通過するまでの時間と各選手の走行速度とから算出された距離であったりする。したがって、アナウンサー等が伝える選手間の距離は正確ではない。また、該距離がアナウンサー等によって音声で視聴者に伝えられるだけでは、視聴者は視覚的に距離を把握することができない。
【０００３】
特許文献１には、以下のような撮影システムが開示されている。先ず第１の被写体に対してマニュアルでフォーカシングを行い、合焦した時点でのフォーカスレレンズの位置に基づいて第１の被写体までの距離を演算する。次に、第２の被写体に対して同様にマニュアルでフォーカシングを行い、合焦した時点でのフォーカスレンズの位置に基づいて第２の被写体までの距離を演算する。そして、演算された第１及び第２の被写体の距離の差を求め、該差の情報を映像信号に重畳させて表示させる。
【０００４】
特許文献２には、以下のような測距装置が開示されている。被写体に測距光を照射し、その反射光をＣＣＤで受光することにより各画素に対応する被写体までの距離を受光量から検出する。いわゆるアクティブ方式の多点測距装置であり、撮影された画像を表示する表示装置にタッチパネルを配設し、ポインティングペンで測定点に対応する画素を選択する。もしくは、方向指示ボタンを有し、画面上のカーソルを制御することにより測定点に対応する画素を選択する。そして、選択された画素に対応する距離を画面上に表示させる。
【０００５】
特許文献２で開示されている測距装置を用いれば、特許文献１のようにフォーカシング操作を行わなくとも、複数の被写体までの距離を演算し、表示することが可能となる。
【先行技術文献】
【特許文献】
【０００６】
【特許文献１】特開２００３−３２９９１５号公報
【特許文献２】特開２００１−１２４５４４号公報
【発明の概要】
【発明が解決しようとする課題】
【０００７】
しかしながら、特許文献２で開示された測距装置では、マラソン中継などの動画像を撮影するスタイルにおいては、撮影しながらポインティングペンや、方向指示ボタンを操作し、測定点を指定しなければならず、撮影者の操作は煩雑となる。
【０００８】
また、測定点を指定した後に、パンニング（以下、パンという）やチルティング（以下、チルトという）操作、または、ズーム操作を行うと、指定された測定点が意図する被写体から外れてしまうため、再度選択し直さなければならない。特に、マラソン中継などの複数の測定点を選択したい場合においては、このような煩雑な操作は撮影者にとって大きな負担となる。
【０００９】
そこで、本発明の例示的な目的は、１以上の被写体を選択する選択操作を容易にするとともに、選択された後に、パン、チルト、またはズーム操作を行っても、被写体の再選択を必要としない撮影システム及びレンズ装置を提供することにある。
【課題を解決するための手段】
【００１０】
上記目的を達成するために、本発明の一側面としての撮影システムは、レンズ装置と、撮像装置とを含み、該撮影システムは、該レンズ装置の操作角を検出する操作角検出手段と、該レンズ装置に対する被写体の方向を記憶する方向記憶手段と、該レンズ装置のズーム位置とフォーカス位置から撮影画角を演算する画角演算手段と、該操作角検出手段により検出される操作角と、該方向記憶手段により記憶されている被写体の方向と、該画角演算手段により演算される撮影画角に基づき、撮影画面内における１以上の被写体の位置を演算し、該１以上の被写体の位置に測距エリアを設定する測距エリア設定手段と、該測距エリアにおける被写体距離を演算する被写体距離演算手段と、該撮像装置により生成された撮影映像と該測距エリアに対応する該被写体距離に基づく情報とを含む出力映像を生成する出力映像生成手段とを有することを特徴とする。
【００１１】
なお、前記方向記憶手段、画角演算手段、測距エリア設定手段、及び被写体距離算出手段を含むレンズ装置も本発明の他の一側面を構成する。
【００１２】
本発明の更なる目的又はその他の特徴は、以下、添付の図面を参照して説明される好ましい実施例等によって明らかにされるであろう。
【発明の効果】
【００１３】
本発明によれば、パン、及びチルトの操作角を検出することにより、１以上の被写体を選択する操作が容易になる。さらには、パン、チルト操作、または、ズーム操作が行われても、被写体を再度選択することなく被写体距離を表示することが可能となる。
【図面の簡単な説明】
【００１４】
【図１】本発明の実施例１である撮影システムの構成を示すブロック図。
【図２】実施例１におけるＡＦセンサの構成を示す図。
【図３】実施例１における表示対象被写体の方向の水平角、垂直角の記憶処理の流れを示すフローチャート。
【図４】実施例１におけるＡＦ処理と被写体距離の演算処理の流れを示すフローチャート。
【図５】被写体の選択方法と被写体距離の表示例を示す図。
【図６】被写体選択後のパン操作、及びズーム操作時の測距エリアの設定状態を示す図。
【図７】実施例２における表示対象被写体の方向の水平角、垂直角の記憶処理および解除処理の流れを示すフローチャート。
【発明を実施するための形態】
【００１５】
以下に、本発明の実施の形態を添付の図面に基づいて詳細に説明する。
【実施例１】
【００１６】
図１には、本発明の実施例１である撮影システムの構成を示している。該撮影システムは、レンズ装置１と動画撮影用カメラ（撮像装置）２と該レンズ装置１及びカメラ２を支持する三脚（支持体）３と被写体を選択する選択スイッチ４により構成されている。レンズ装置１は、カメラ２に対して着脱（交換）が可能である。
カメラ２は、ＣＣＤセンサやＣＭＯＳセンサ等により構成される撮像素子２０１（以下、ＣＣＤという）を含む。
また、レンズ装置１、及びカメラ２には、それぞれレンズＣＰＵ１３０、カメラＣＰＵ２１０が構成されている。
【００１７】
レンズ装置１に含まれるレンズ鏡筒１０１は、不図示のフォーカスレンズ、変倍レンズ及びアイリス等の光学調節部材を含む光学系を内蔵している。この光学系は、フォーカスレンズが該光学系のうち最も被写体側に配置された、いわゆる前玉フォーカスタイプの光学系である。
【００１８】
レンズ鏡筒１０１には、フォーカスモータ１１０からの駆動力をフォーカスレンズに伝達して該フォーカスレンズを光軸方向に移動させるフォーカス駆動リング１０２が設けられている。また、レンズ鏡筒１０１には、ズームモータ１１３からの駆動力を変倍レンズに伝達して該変倍レンズを光軸方向に移動させるズーム駆動リング１０３も設けられている。
【００１９】
レンズ装置１におけるレンズ鏡筒１０１の後方（像面側）には、ハーフミラー１０４が設けられている。レンズ鏡筒１０１を通って（すなわち、レンズ装置１に入射して）ハーフミラー１０４に到達した被写体からの光束は、ハーフミラー１０４を透過した光束とハーフミラー１０４で反射された光束とに分割される。
【００２０】
ハーフミラー１０４を透過した光束は、ＣＣＤ２０１に入射する。ハーフミラー１０４で反射された光束は、レンズ装置１内におけるＣＣＤ２０１と共役な位置に設けられた焦点検出部１０５に入射する。
【００２１】
焦点検出部１０５は、不図示の複数対の二次結像レンズと、図２に示す位相差センサとしてのＡＦセンサ１２０とを含む。ＡＦセンサ１２０上には、複数対のラインセンサ（光電変換素子列）１２１が設けられている。
【００２２】
各対のラインセンサ１２１上には、ハーフミラー１０４で反射して各対の二次結像レンズによって２つに分割された光束により一対の被写体像（以下、２像という）が形成される。各対のラインセンサ１２１は、該２像を光電変換して２つの像信号を出力する。上記２像、つまりは２つの像信号は、レンズ装置１（光学系）のフォーカス状態に応じた位相差を有する。
【００２３】
レンズ装置１が合焦状態にある場合は該２像間（被写体像間）の間隔に相当する位相差は特定値を示す。被写体よりも近距離側に合焦している、いわゆる前ピンの場合は、位相差は該特定値よりも小さくなる。また、被写体よりも遠距離側に合焦している、いわゆる後ピンの場合は、位相差は該特定値よりも大きくなる。このように、焦点検出部１０５（ＡＦセンサ１２０）は、レンズ装置１に入射した光により形成された被写体像（２像）間の位相差を検出する機能を有する。
【００２４】
各対のラインセンサ１２１からの２つの像信号は、焦点検出演算部１０６に入力される。焦点検出演算部１０６は、該２つの像信号に対する相関演算を行い、該像信号間の位相差を演算し、さらに該位相差に基づいてレンズ装置１のデフォーカス量を演算する。このようにして、ＡＦセンサ１２０に設けられた複数対のラインセンサ１２１に対応する複数のデフォーカス量が演算される。演算された複数のデフォーカス量は、レンズ制御部（フォーカス制御手段）１０７と被写体距離演算部１１４とに入力される。
【００２５】
本実施例のレンズ装置１では、ユーザがフォーカス操作（これについては後述する）によって被写体に対してピントを合わせると、さらにＡＦによって当該被写体に対してより高精度にピントを合わせる。このため、レンズ制御部１０７は、入力された複数のデフォーカス量のうち最も小さいデフォーカス量をＡＦ用デフォーカス量として選択する。
【００２６】
なお、撮影画面内においてピントを合わせたいＡＦエリア（焦点検出エリア）を、十字キー等の操作部材の操作によってユーザが任意に選択できるようにしてもよい。この場合は、ＡＦエリアに含まれる一対のラインセンサを用いて得られたデフォーカス量をＡＦ用デフォーカス量として演算する。
【００２７】
レンズＣＰＵ１３０は、フォーカス位置検出器１０８を通じて、フォーカス駆動リング１０２の回転位置、つまりはフォーカスレンズの位置を検出する。また、レンズＣＰＵ１３０は、ズーム位置検出器１１１を通じて、ズーム駆動リング１０３の回転位置、つまりは変倍レンズの位置を検出する。
【００２８】
そして、レンズ制御部１０７は、レンズＣＰＵにより検出したフォーカスレンズ及び変倍レンズの位置と上記ＡＦ用デフォーカス量とに基づいて、フォーカスレンズの移動量を演算する。この移動量は、ＡＦ用デフォーカス量演算の基となった像信号を出力した一対のラインセンサ１２１上に２像が形成された被写体に対して合焦を得るためのフォーカスレンズの移動量である。
【００２９】
そして、レンズ制御部１０７は、該演算された移動量だけフォーカスレンズが光軸方向に移動するように、フォーカスドライバ１０９を介してフォーカスモータ１１０を駆動し、フォーカス駆動リング１０２を回転させる。これにより、ＡＦ（オートフォーカス）が行われる。
【００３０】
本実施例のレンズ装置１では、ユーザにより操作される不図示のフォーカス操作部材（フォーカススイッチ）からのフォーカス指令信号がレンズ制御部１０７に入力される。レンズ制御部１０７は、該フォーカス指令信号に応じて、フォーカスドライバ１０９を介してフォーカスモータ１１０を駆動し、フォーカス駆動リング１０２を回転させる。これにより、サーボ制御によるフォーカス駆動が行われる。
【００３１】
また、ユーザにより操作される不図示のズーム操作部材（ズームスイッチ）からのズーム指令信号がレンズ制御部１０７に入力される。レンズ制御部１０７は、該ズーム指令信号に応じて、ズームドライバ１１２を介してズームモータ１１３を駆動し、ズーム駆動リング１０３を回転させる。これにより、変倍レンズが移動し、サーボ制御によるズーム駆動が行われる。
【００３２】
三脚３において、操作角検出部３０１は、被写体設定部１１５に接続され、三脚３に対するレンズ装置１のパン、チルト操作角を検出し、パン、チルト操作に対応した値をデジタル信号で出力する。本実施例では、電源投入時に操作角検出部３０１はパン、チルトの位置を基準位置とする基準位置データを出力し、その後は基準位置からのパン、チルトの相対位置に比例した操作角データを出力する。このパン、チルト操作角検出部３０１は、たとえばインクリメントロータリーエンコーダとカウンタにより実現することが可能である。
【００３３】
選択スイッチ４において、撮影者は該選択スイッチ４により距離を表示させたい被写体を選択（被写体の選択方法については後述する）し、被写体設定部１１５に選択した被写体（表示対象被写体）の方向を示す水平角、垂直角を記憶させる。
【００３４】
被写体設定部１１５は画角演算手段を含み、該画角演算手段はレンズＣＰＵ１３０を介してフォーカス位置検出器１０８により得られる現在のフォーカスレンズ位置と、ズーム位置検出器１１１により得られる現在の変倍レンズ位置から、現在の撮影画角を演算する。さらに、被写体設定部１１５は測距エリア設定手段を含む。測距エリア設定手段は、該撮影画角と、現在のレンズ装置１のパン、チルト位置と、選択された表示対象被写体の方向を示す水平角、垂直角とに基づき、表示対象被写体の撮影画面内における位置を演算し、表示対象被写体の位置に測距エリアを設定する。測距エリアの形状の設定はユーザが任意に変更可能である。
【００３５】
このため、図２に示したＡＦセンサ１２０では、撮影画面内において測距エリアの位置、大きさ及び数をユーザが高い自由度で選択できるように、多数のラインセンサ１２１が配置されている。
【００３６】
被写体距離演算部１１４には、焦点検出演算部１０６から、ＡＦセンサ１２０上の複数対のラインセンサ１２１を用いて得られた複数のデフォーカス量が入力される。被写体距離演算部１１４は、表示対象被写体に設定された各測距エリアに含まれる複数対のラインセンサ１２１の中から一対のラインセンサ１２１を選択する。該一対のラインセンサ１２１を用いて得られたデフォーカス量に基づいて、各測距エリアごとに被写体までの距離（被写体距離）を以下のように演算する。「一対のラインセンサ１２１」の選択方法については後述する。
【００３７】
被写体距離演算部１１４は、各測距エリアでのデフォーカス量と、レンズＣＰＵ１３０を介してフォーカス位置検出器１０８により得られる現在のフォーカスレンズ位置と、ズーム位置検出器１１１により得られる現在の変倍レンズ位置とを取り込む。次に、デフォーカス量と現在のフォーカスレンズ位置から、その測距エリアに含まれる被写体に対して合焦するフォーカスレンズ位置（合焦フォーカスレンズ位置）を演算する。そして、合焦フォーカスレンズ位置と現在の変倍レンズ位置とに基づいて、被写体距離を演算する。
被写体距離演算部１１４は、レンズ通信部１１６と接続されている。レンズ通信部１１６は、カメラ２に設けられたカメラ通信部２０４とシリアル通信によるデータの送受信を行う。レンズ通信部１１６は、表示対象被写体に設定された測距エリアの被写体距離の情報（距離情報）と、不図示の測距位置出力手段による測距エリアの撮影画面内の座標情報（画面位置情報）、をカメラ通信部２０４に送信する。
【００３８】
なお、焦点検出演算部１０６、レンズ制御部１０７、被写体距離演算部１１４、被写体設定部１１５及びレンズ通信部１１６は、レンズＣＰＵ１３０内に構成されている。
カメラ２において、ＣＣＤ２０１から出力された信号は、映像信号処理部２０２に入力される。映像信号処理部２０２は、ＣＣＤ２０１から出力された信号に対して各種処理を行い、撮影映像信号（撮影映像）を生成する。該撮影映像信号は、画像合成部（出力映像生成手段）２０３に出力される。
【００３９】
画像合成部２０３には、カメラ通信部２０４を介してレンズ装置１から入力された被写体距離情報と測距エリア座標情報が入力される。画像合成部２０３は、撮影映像信号に被写体距離情報を合成して出力映像信号（出力映像）を生成する。具体的には、撮影映像のうち測距エリア座標情報に応じた位置に被写体距離情報を重畳した出力映像を生成する。出力映像信号は、表示部２０５や外部に出力される。
【００４０】
映像信号処理部２０２、画像合成部２０３及びカメラ通信部２０４は、カメラＣＰＵ２１０内に構成されている。
【００４１】
図３のフローチャートには、表示対象被写体の方向の水平角、垂直角の記憶処理の流れを示す。レンズＣＰＵ１３０は、これらの処理を、不図示のメモリに格納されたコンピュータプログラムに従って制御する。
【００４２】
レンズ装置１に電源が入ると、レンズＣＰＵ１３０の処理は、ステップＳ１に進み、被写体設定部１１５は、操作角検出部３０１からパン、チルトの基準位置を取得する。次に、ステップＳ２では、レンズ装置１のパン、チルトの操作角データ（絶対位置）を取得する。そして、ステップＳ３では、パン、チルトの操作角データ（絶対位置）を元に、基準位置からのパン、チルト位置（パン、チルト相対位置）を演算する。ステップＳ４では、選択スイッチ４がＯＮされたかどうかを判断し、選択スイッチ４がＯＮされた場合は、ステップＳ５に進む。選択スイッチ４がＯＦＦの場合は、処理を終了する。ステップＳ５では、現在のパン、チルト相対位置を表示対象被写体の方向の水平角、垂直角として記憶する。表示対象被写体の水平角、垂直角が記憶されると処理は終了する。ここで、ステップＳ２で取得する位置を第１相対位置、ステップＳ３で演算する位置を第２相対位置としても構わない。
【００４３】
レンズＣＰＵ１３０の処理は、ステップＳ１は電源投入時のみの処理であり、電源投入後は、ステップＳ２〜ステップＳ５のフローを一定周期で繰り返し処理を行う。
【００４４】
被写体設定部１１５は、常に現在のレンズ装置１のパン、チルト相対位置を取得し、選択スイッチ４がＯＮされた数だけ表示対象被写体の方向の水平角、垂直角を記憶する。
【００４５】
図４のフローチャートには、レンズ装置１におけるＡＦ処理と被写体距離の演算処理の流れを示す。レンズＣＰＵ１３０は、これらの処理を、不図示のメモリに格納されたコンピュータプログラムに従って制御する。
【００４６】
レンズ装置１に電源が入ると、レンズＣＰＵ１３０の処理は、ステップＳ２１に進み、焦点検出部１０５のＡＦセンサ１２０を駆動する。そして、ステップＳ２２では、焦点検出演算部１０６は、各対のラインセンサ１２１で得られた位相差に基づいてデフォーカス量を演算する。そして、レンズ制御部１０７は、焦点検出演算部１０６から入力された複数のデフォーカス量のうち最も小さいデフォーカス量をＡＦ用デフォーカス量として選択する。該ＡＦ用デフォーカス量は、現在のフォーカスレンズ位置から最も近い位置で合焦となる被写体に対してＡＦ動作を行うためのものである。
【００４７】
次に、ステップＳ２３では、レンズ制御部１０７は、現在のフォーカスレンズ位置をフォーカス位置検出器１０８により確認し、ＡＦ用デフォーカス量が合焦範囲内の値か否かを判断する。ＡＦ用デフォーカス量が合焦範囲内の値である場合には、レンズ制御部１０７は、現在が合焦状態であるとみなしてステップＳ２４に進み、フォーカスレンズを停止させておく。そして、レンズＣＰＵ１３０の処理は、ステップＳ２７に進む。
一方、ＡＦ用デフォーカス量が合焦範囲内の値でない場合は、レンズ制御部１０７はステップＳ２５に進み、該ＡＦ用デフォーカス量と現在のフォーカスレンズ位置とから合焦フォーカスレンズ位置を演算する。そして、レンズ制御部１０７は、フォーカスレンズを合焦フォーカスレンズ位置に移動させるためにフォーカスドライバ１０９に与えるフォーカス駆動信号を生成する。
【００４８】
次に、ステップＳ２６では、レンズ制御部１０７は、フォーカスドライバ１０９にフォーカス駆動信号を出力する。これにより、フォーカスモータ１１０が駆動され、フォーカス駆動リング１０２が回転し、フォーカスレンズが合焦フォーカスレンズ位置まで移動する。そして、レンズＣＰＵ１３０の処理は、ステップＳ２７に進む。
【００４９】
ステップＳ２７では、被写体設定部１１５は、図３で説明した記憶された表示対象被写体の方向の水平角、垂直角を、電源投入時の基準位置を基準とした相対値から、現在のレンズ装置１のパン、チルト位置（操作角）を基準としたレンズ装置基準の相対値に変換する。つまり、現在のレンズ装置１の操作角（方向）に対する対象被写体の相対的な方向を求める。次に、ステップＳ２８では、フォーカス位置検出器１１１から得られるフォーカスレンズ位置と、ズーム位置検出器１１１から得られる変倍レンズ位置から現在の撮影画角を演算する。そして、ステップＳ２９では、各表示対象被写体が現在の撮影画角内にあるかどうかを判断する。撮影画角内にある場合は、撮影画角と表示対象被写体のレンズ装置基準の水平角、垂直角から、撮影画面内における表示対象被写体の位置を演算し、撮影画面内の該位置に測距エリアを設定する。
【００５０】
ステップＳ３０では、設定された各測距エリアの被写体距離を演算する。被写体距離演算部１１４は、設定された測距エリアに含まれる複数対のラインセンサ１２１から測距演算に用いる一対のラインセンサを選択する。具体的には、被写体距離演算部１１４は、各対のラインセンサ１２１から出力された２つの像信号の合致度を求める相関演算を行う。そして、該２つの像信号の合致度が最も高い一対のラインセンサを測距用の一対のラインセンサとして選択する。そして、測距用の一対のラインセンサからの２つの像信号の位相差に基づいて得られたデフォーカス量と現在のフォーカスレンズ位置及び変倍レンズ位置とを用いて、選択された測距エリアでの被写体距離を演算する。
【００５１】
ステップＳ３１では、被写体距離演算部１１４は、設定された測距エリアごとの被写体距離情報と撮影画面位置情報（座標情報）とをレンズ通信部１１６を介してカメラ２に送信する。該送信が完了すると処理は終了する。
【００５２】
レンズＣＰＵ１３０の処理は、ステップＳ２１からステップＳ３１までのフローを一定周期で繰り返し処理を行う。
【００５３】
図５は、被写体の選択方法と被写体距離の表示例を示している。ここでは、先頭を走っている選手（選手Ａ）と第２位を走っている選手（選手Ｂ）を撮影し、それぞれの選手を表示対象被写体として選択し、距離を表示する例について述べる。選手Ａはレンズ装置１から２０ｍの距離に位置し、選手Ｂは３０ｍの距離に位置するものとする。
【００５４】
図５（ａ）は被写体選択前の状態で、選手Ａと選手Ｂを撮影している。画面中央部に選択ポイントＰが設けられ、該選択ポイントＰに被写体を合わせ、選択スイッチ４を押すことで、表示対象被写体を選択する。
【００５５】
まず、選択ポイントＰに選手Ａが入るようにパン、及びチルト操作を行う。選択ポイントＰを選手Ａに合わせたら、選択スイッチ４を押す。選択スイッチ４が押されると、被写体設定部１１５は、レンズ装置１のパン、チルト位置を選手Ａの方向の水平角、垂直角として記憶する。そして、画面内の選手Ａを映している位置（現状では選択ポイントＰの位置）に測距エリアＦ１が設定され、被写体距離演算部１１４により、被写体距離が演算される。不図示の測距位置出力手段より、測距エリアＦ１の位置を示す位置情報が出力され、そして、撮影映像における位置情報に応じた該測距エリアＦ１の画面位置に測距エリアに対応する被写体距離が表示される。該選手Ａを選択した状態を図５（ｂ）に示す。
【００５６】
次に、選択ポイントＰに選手Ｂが入るようにパン及びチルト操作を行う。選択ポイントＰを選手Ｂに合わせたら、選択スイッチ４を押す。選択スイッチ４が押されると、選手Ａと同様に測距エリアＦ２が設定され、被写体距離が測距エリアＦ２の画面位置に表示される。なお、該選択操作中にも、レンズ装置１のパン、チルト位置が検出され、画面内の測距エリアＦ１の位置が更新される。したがって、選手Ａに対しても、測距エリアＦ１が設定されたまま、画面内を移動する。該選手Ｂを選択した状態を図５（ｃ）に示す。
【００５７】
そして、意図する撮影構図にパン、チルト操作を行うと、同様に選手Ａ、及び選手Ｂに設定された測距エリアＦ１、Ｆ２が、該パン、チルト操作に伴って更新され、選手Ａ及び選手Ｂに設定されまま画面内を移動し、被写体距離を表示することができる。選手Ａ及び選手Ｂを選択後に、図５（ａ）と同様の撮影構図に戻した状態を図５（ｄ）に示す。
【００５８】
このように、操作角検出手段３０１によるパン、チルト位置を用いることによって、従来のようなポインティングペンや、方向指示ボタンによる操作ではなく、選択スイッチ４のＯＮ操作のみで被写体を選択できる。また、選択スイッチ４をズーム操作部材、もしくはフォーカス操作部材の近傍に取り付けることにより、撮影者のズーム、フォーカスのサーボ制御による操作の妨げにならず、１以上の被写体を容易に選択することができる。
【００５９】
図５の例では、測距エリアの被写体の被写体距離を当該測距エリアの画面位置に表示しているが、本発明はこれに限定されることはない。例えば、ある被写体あるいは、所定の距離を基準とした相対距離など、被写体距離に基づく情報を表示するようにしてもよい。
【００６０】
図６には、被写体選択後のパン操作、及びズーム操作時の測距エリアの設定状態を示す。ここでは説明を簡単にするためにパン方向、すなわち、水平画角のみについて述べるが、チルト方向、すなわち、垂直画角についても同様である。
【００６１】
図６（ａ１）はレンズ装置１と被写体との位置関係を示した図である。被写体はＡ、Ｂ、Ｃの３つで、それぞれレンズ装置１の電源ＯＮ時のパン位置を基準（０°）として、パン操作方向において、Ａは０°、Ｂは１０°、Ｃは４０°に位置する。各被写体は図５で説明した被写体の選択方法により水平角が記憶されている。また、この時のレンズ装置１の水平画角は４０°とする。図６（ｂ１）に示す図は、図６（ａ１）で示した位置関係に被写体がある場合の撮影画面となる。撮影画面の水平方向中心部に被写体Ａ、右方向に被写体Ｂがあり、それぞれ現在のパン位置である０°と、記憶されている各被写体の位置の水平角により、撮影画面内の被写体Ａ、Ｂの位置が演算され、測距エリアＦ１、Ｆ２が設定されている。
【００６２】
図６（ａ２）に示す図は、図６（ａ１）で示す位置関係からレンズ装置１を右方向に２５°パン操作を行ったときの状態を示す。そのときの撮影画面を示す図が図６（ｂ２）となる。被写体Ａは撮影画面から外れるため、測距エリアは設定されず、被写体Ｂ、Ｃに関しては、撮影画面内の位置が演算され、測距エリアＦ１、Ｆ２が設定される。
【００６３】
図６（ａ３）に示す図は、図６（ａ２）で示す位置関係からレンズ装置１のズームを駆動させ、水平画角を７０°に変倍した状態を示す。そのときの撮影画面を示す図が図６（ｂ３）となる。水平画角が広がったために、被写体Ａも撮影画面内に入り、それぞれ被写体Ａ、Ｂ、Ｃの撮影画面内の位置が演算され、測距エリアＦ１、Ｆ２、Ｆ３が設定される。なお、図６においては、被写体距離の表示は図示していないが、実際には、設定された測距エリア内にあるラインセンサ１２１により被写体距離を演算し、距離を表示する。
【００６４】
このように、本実施例では、撮影画面上での位置ではなく、レンズ装置１に対する実際の被写体の水平角、垂直角を記憶することにより、被写体を選択後にレンズ装置１のパン、チルト操作や、ズーム操作を行ったとしても実際の被写体の位置に測距エリアを設定することが可能となる。したがって、被写体の再選択を行わなくても被写体距離を表示することが可能となる。
【００６５】
また、本実施例では、レンズ装置１のパン、チルト位置を検出することにより、被写体の選択部材としては、選択スイッチ４のみの構成とすることが可能となる。したがって、マラソン中継などにおいて撮影者が被写体を選択する際に、ポインティングペンや方向指示ボタンによる煩雑な操作を必要とせず、１以上の被写体を容易に選択することが可能となる。
【００６６】
なお、本実施例では、選択スイッチ４は単体のスイッチとして撮影システムに構成したが、ズーム操作部材やフォーカス操作部材などの、いわゆるレンズアクセサリー内に構成したり、他スイッチと併用したりしても良く、また、レンズ装置内の構成に含まれても良い。
【００６７】
さらには、本実施例では、操作角検出手段として、三脚に搭載されたロータリーエンコーダーとカウンタからなる操作角検出部３０１を構成したが、これに限られるものではなく、例えば、角速度センサや角度センサにより操作角度を演算するなどしても良い。
【００６８】
さらには、本実施例では、選択スイッチ４の入力により、手動で被写体を選択し、被写体の水平角、垂直角を記憶する方法について述べたが、これに限られない。例えば、ある一定の被写体距離にある被写体を、表示対象の被写体として自動で抽出し、該抽出された被写体の水平角、垂直角を演算し、記憶する処理としても良い。
【００６９】
さらには、本実施例では、各測距エリア内に複数対のラインセンサが含まれている場合に、２つの像信号の合致度が最も高い一対のラインセンサを選択し、該一対のラインセンサを用いて得られた位相差に基づいて被写体距離を演算した。しかし、被写体距離の演算方法はこれに限られない。例えば、各測距エリア内の複数対のラインセンサそれぞれにより得られた位相差に基づいて複数の被写体距離を演算し、その平均値を当該測距エリアでの被写体距離としてもよい。また、各測距エリア内に設けられた複数対のラインセンサを用いて得られた複数の被写体距離に対して、該ラインセンサの位置に応じた重み付けをし、重み付け後の被写体距離から所定の規則に従って１つの被写体距離を選択又は生成するようにしてもよい。
【実施例２】
【００７０】
本発明の実施例２について、図７を用いて説明する。
実施例１では、選択スイッチ４により、被写体を選択する例について説明した。また、被写体を選択した後に、撮影者によって、パン、チルト操作や、ズーム操作による撮影構図の変更が行われた場合にも、測距エリアは表示対象被写体に設定される例について説明した。しかし、被写体自体が移動し、レンズ装置１と被写体との位置関係が変化した場合は、該測距エリアは表示対象被写体から外れてしまう。
【００７１】
本実施例では、このような場合において、選択された表示対象被写体の測距エリアを解除する方法について説明する。
【００７２】
実施例２の撮影システムの構成、ＡＦセンサの構成、及び被写体距離の演算方法については実施例１の図１、図２、図４と同様なので説明を省略する。
【００７３】
図７のフローチャートには、表示対象被写体の方向の水平角、垂直角の記憶処理および解除処理の流れを示す。レンズＣＰＵ１３０は、これらの処理を、不図示のメモリ（方向記憶手段）に格納されたコンピュータプログラムに従って制御する。
【００７４】
レンズ装置１に電源が入ると、レンズＣＰＵ１３０の処理は、ステップＳ１に進む。ステップＳ１〜Ｓ４は、実施例１の図３と同様なので、説明を省略する。
【００７５】
ステップＳ４で、選択スイッチ４がＯＮならばステップＳ３１に進む。
ステップＳ３１では、選択スイッチ４が一定時間以上ＯＮ状態（長押し）であるか否かを判断する。長押しであれば、ステップＳ３２に進み、一定時間未満であればステップＳ３３に進む。ステップＳ３２では、現在記憶されている全ての表示対象被写体の位置を示す方向の水平角、垂直角を削除し、処理を終了する。
【００７６】
ステップＳ３３では、現在のパン、チルト位置が、記憶されている表示対象被写体の水平角、垂直角と同様であるかを判断する。現在のパン、チルト位置が、すでに記憶されている表示対象被写体（選択済みの被写体）と同様の水平角、垂直角である場合は、ステップＳ３４に進み、異なる（未選択の被写体の）場合はステップＳ５に進む。ステップＳ３４では、現在のパン、チルト位置と同様の水平角、垂直角が記憶されている表示対象被写体を削除し、処理を終了する。ステップＳ５では、実施例１の図３と同様に、現在のパン、チルト位置を表示対象被写体の方向の水平角、垂直角として記憶し、処理を終了する。
【００７７】
レンズＣＰＵ１３０の処理は、ステップＳ１は電源投入時のみの処理であり、電源投入後は、ステップＳ２〜ステップＳ３４のフローを一定周期で繰り返し処理を行う。
【００７８】
このように、本実施例では、常に現在のパン、チルト位置を演算し、選択スイッチ４がＯＮすることにより表示対象被写体が選択され、演算で得られた現在のパン、チルト位置が表示対象被写体の方向の水平角、垂直角として記憶される。また、一度選択されている表示対象被写体と同じ位置で選択スイッチ４をＯＮ（再選択）されると、表示対象被写体から削除することが可能となる。さらに、選択スイッチ４を長押しすることにより、全表示対象被写体の削除が可能となる。よって、被写体自体が移動し、選択した被写体とレンズ装置１の位置関係が変化した場合も、容易に表示対象被写体を削除することが可能となる。
【００７９】
なお、本実施例では、選択スイッチ４を長押しすることにより、選択したすべての表示対象被写体を削除する処理としたが、別途、全削除用のスイッチを構成しても良い。
【００８０】
また、本実施例では、選択スイッチ４による手動での対象被写体の削除方法について説明したが、これに限られない。例えば、選択された対象被写体の被写体距離を監視し、被写体距離が大きく変化した場合は、被写体が移動し測距エリアから外れたと判断し、自動で対象被写体から削除するなどしても良い。
【００８１】
以上、本発明の好ましい実施例について説明したが、本発明はこれらの実施例に限定されないことはいうまでもなく、その要旨の範囲内で種々の変形及び変更が可能である。
【符号の説明】
【００８２】
１  レンズ装置
２  カメラ
３  三脚
４  選択スイッチ
１０５  焦点検出部
１０６  焦点検出演算部
１０７  レンズ制御部
１１４  被写体距離演算部
１１５  被写体設定部
１３０  レンズＣＰＵ
２０１  撮像素子
２０３  画像合成部
２０５  表示部
２１０  カメラＣＰＵ
３０１  操作角検出部
【図１】
2011075832.tif 000003
【図２】
2011075832.tif 000004
【図３】
2011075832.tif 000005
【図４】
2011075832.tif 000006
【図５】
2011075832.tif 000007
【図６】
2011075832.tif 000008
【図７】
2011075832.tif 000009